(57)【要約】【課題】  ユーザが設定可能な画像処理を撮影画像に適用可能な撮像装置において、ユーザの使い勝手がよいプレビュー機能を実現すること。【解決手段】  電子ビューファインダに、ユーザが設定した画像処理を適用した画像と、適用しない画像を所定時間経過毎に、或いはユーザの指示に応じて切り替えて表示する。電子ビューファインダの画像でプレビュー機能を実現することで、撮影前に画像処理の結果をリアルタイムで、かつ原画像と比較しながら確認することが可能となる。【選択図】  図７
2006211103.tif 000002
【特許請求の範囲】
【請求項１】
撮像手段と、表示手段とを備え、前記撮像手段で得られた画像を連続的に前記表示手段に表示することにより、前記表示手段を電子ビューファインダとして利用可能な撮像装置であって、
ユーザが設定した画像処理を前記電子ビューファインダに表示する画像に適用可能な画像処理手段と、
前記画像処理手段により前記画像処理を適用した画像と、前記画像処理手段によって前記画像処理を適用しない画像とを、交互に前記電子ビューファインダに表示させる制御手段とを有することを特徴とする撮像装置。
【請求項２】
前記画像処理に必要な値が、前記電子ビューファインダに表示された画像の所定領域を利用して設定されることを特徴とする請求項１記載の撮像装置。
【請求項３】
前記制御手段が、所定時間経過毎に、前記画像処理手段による前記画像処理後の画像と前記画像処理前の画像とを交互に切り替えて前記電子ビューファインダに表示させることを特徴とする請求項１又は請求項２に記載の撮像装置。
【請求項４】
前記制御手段が、ユーザによる操作に応答して、前記画像処理手段による前記画像処理後の画像と画像処理前の画像とを切り替えて前記電子ビューファインダに表示させることを特徴とする請求項１又は請求項２に記載の撮像装置。
【請求項５】
撮像手段と、表示手段とを備え、前記撮像手段で得られた画像データを連続的に前記表示手段に表示することにより、前記表示手段を電子ビューファインダとして利用可能な撮像装置の制御方法であって、
ユーザが設定した画像処理を前記電子ビューファインダに表示する画像データに適用可能な画像処理工程と、
前記画像処理工程により前記画像処理を適用した画像データと、前記画像処理手段によって前記画像処理を適用しない画像データとを、交互に前記電子ビューファインダに表示させる制御工程とを有することを特徴とする撮像装置の制御方法。
【発明の詳細な説明】
【技術分野】
【０００１】
本発明は、撮像装置及びその制御方法に関し、特にユーザが設定した画像処理を適用した撮影が可能な撮像装置及びその制御方法に関する。
【背景技術】
【０００２】
近年、パーソナルコンピュータやデジタルカメラの普及により、画像処理が一般的に行われるようになっている。そして、レタッチソフトとも呼ばれる画像処理アプリケーションソフトウェアを用いて原画像に画像処理を適用する場合、フィルタの適用範囲や強度、色調補正の程度などのパラメータの値を決定する必要がある。
【０００３】
このようなパラメータ値の決定は初心者にとって難解なため、最適と思われるパラメータ値を自動的に設定する機能を有するアプリケーションも存在する。しかし、自動設定では個々の画像に最適な値を得ることは難しく、通常は何らかの試行錯誤を経て最終的なパラメータ値を決定することが多い。
【０００４】
このような試行錯誤に基づくパラメータ値の調整を援助するため、複数の画像処理の適用後の画像を比較可能に表示する、所謂プレビュー機能を有するアプリケーションが知られている。
【０００５】
一方、撮像装置においても簡便な画像処理機能を搭載するものが存在する。具体的には撮影時の効果として、彩度を上げ、より鮮やか色な画像にしたり、或いは逆にあっさりとした画像にしたり、また画面全体を白黒或いはセピアに変換するといった機能が知られている。
【０００６】
また、プレビュー画面の表示だけでなく、プレビュー画面の表示後、画像処理の効果を確認したり、画像処理の設定をし直したりするために、原画像の表示も行えるように構成することが望ましい。これは、例えばセピア調画像や白黒画像への変換、エッジ強調と言った、画像全面に対して適用される画像処理を適用する場合はもちろんであるが、画像の一部のみに画像処理が適用される画像処理においてより必要性が高い。
【０００７】
【特許文献１】特公平６−３６０７号公報
【発明の開示】
【発明が解決しようとする課題】
【０００８】
例えば、原画像中の特定色（例えば赤色）を別の色（例えば黄色）に変換して撮影するような画像処理を適用する場合、プレビュー画像は原画像中の赤色領域が黄色に変換された画像となる。この場合、原画像との比較を行えないと、ユーザが画像処理の効果を確認しにくかったり、変換の元色（赤色）や目標色（黄色）を設定し直そうとした場合に元の色が分からないといったことが起こりうる。
【０００９】
本発明は、このような従来技術の課題に鑑みなされたものであり、ユーザが設定可能な画像処理を撮影画像に適用可能な撮像装置において、ユーザの使い勝手がよいプレビュー機能を実現することを目的とする。
【課題を解決するための手段】
【００１０】
上述の目的は、撮像手段と、表示手段とを備え、撮像手段で得られた画像を連続的に表示手段に表示することにより、表示手段を電子ビューファインダとして利用可能な撮像装置であって、ユーザが設定した画像処理を電子ビューファインダに表示する画像に適用可能な画像処理手段と、画像処理手段により画像処理を適用した画像と、画像処理手段によって画像処理を適用しない画像とを、交互に電子ビューファインダに表示させる制御手段とを有することを特徴とする撮像装置によって達成される。
【００１１】
また、上述の目的は、撮像手段と、表示手段とを備え、撮像手段で得られた画像データを連続的に表示手段に表示することにより、表示手段を電子ビューファインダとして利用可能な撮像装置の制御方法であって、ユーザが設定した画像処理を電子ビューファインダに表示する画像データに適用可能な画像処理工程と、画像処理工程により画像処理を適用した画像データと、画像処理手段によって画像処理を適用しない画像データとを、交互に電子ビューファインダに表示させる制御工程とを有することを特徴とする撮像装置の制御方法によっても達成される。
【発明の効果】
【００１２】
上記構成によれば、ユーザが設定した画像処理を適用した画像を撮影前にプレビュー表示するため、ユーザは設定した画像処理の結果を撮影前に確認することが可能となる。また、画像処理を適用しない原画像もプレビュー表示することが可能であるため、画像処理の効果をより明確に確認することが可能になる。
【発明を実施するための最良の形態】
【００１３】
以下、図面を参照して本発明をその好適な実施形態に基づいて詳細に説明する。
以下の実施形態では、撮像装置の一例としてのデジタルスチルカメラに本発明を適用した例を説明する。しかし、本発明はデジタルスチルカメラに限らず、画像を電気信号又はデジタルデータとして記録する任意の撮像装置（例えば、デジタルビデオカメラ、デジタルスチルカメラ）及び、このような撮像装置を内蔵もしくは利用可能な任意の装置、例えば、撮像機能を有する情報処理装置（例えば、パーソナルコンピュータ）や撮像機能を有する携帯端末（例えば、携帯電話機）に適用することが可能である。
【００１４】
＜＜第１の実施形態＞＞
（撮像装置の構成）
図１は、本実施形態に係るデジタルスチルカメラ（以下、単にデジタルカメラという）の構成例を示すブロック図である。
デジタルカメラ１００は、光学系（撮像用レンズ）１０を介して被写体像を撮影するように構成されている。光学系１０は、ズームレンズとして構成されうる。これにより光学ズーム機能が提供されている。デジタルカメラ１００は、更に、撮像素子１４によって撮像される画像を画像処理により拡大することによる電子ズーム機能を有するように構成されうる。なお、デジタルカメラ１００は、光学ズーム及び電子ズームのいずれか一方の機能のみを有するように構成される場合もある。また、一眼レフ形式のデジタルカメラなどに見られるように、光学系１０は交換可能であってもよい。
【００１５】
光学ズーム機能は、光学系１０内の駆動機構又はデジタルカメラ１００の本体側の駆動機構により、光学系１０の変倍用のレンズを駆動することにより実現される。
光学系（撮影用レンズ）１０を通る被写体からの光線（レンズの画角内に入射する光線）は、絞り機能を備えるシャッター１２の開口を通して撮像素子（例えば、ＣＣＤセンサ、ＣＭＯＳセンサ）１４の撮像面に被写体の光学像を形成する。撮像素子１４は、この光学像をアナログ画像信号に変換して出力する。Ａ／Ｄ変換器１６は、撮像素子１４から提供されるアナログ画像信号をデジタル画像信号（画像データ）に変換する。撮像素子１４及びＡ／Ｄ変換器１６は、タイミング発生回路１８から提供されるクロック信号や制御信号によって制御される。タイミング発生回路１８は、メモリ制御回路２２及びシステム制御回路５０により制御される。
【００１６】
画像処理回路２０は、Ａ／Ｄ変換器１６から提供される画像データ又はメモリ制御回路２２から提供される画像データに対して画素補間処理や色変換処理等の画像処理を行う。また、画像処理回路２０は、撮像画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算して、その演算結果をシステム制御回路５０に提供する。システム制御回路５０は、この演算結果に基づいて露光制御部４０、測距制御部（ＡＦ制御部）４２を制御し、自動露出やオートフォーカス機能を実現している。更に、画像処理回路２０は、撮像画像データに基づいてＴＴＬ方式のＡＷＢ（オートホワイトバランス）処理も実行する。
【００１７】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６から出力される画像データは、画像処理回路２０及びメモリ制御回路２２を介して、又は、メモリ制御回路２２のみを介して、画像表示メモリ２４或いはメモリ３０に書き込まれる。なお、画像表示メモリ２４へは、画像表示部２８が備える表示器の解像度に応じて画像データを適宜間引きして書き込む。画像表示メモリ２４に書き込まれた表示用の画像データはＤ／Ａ変換回路２６を介して画像表示用のアナログ信号となり、画像表示部２８により表示される。画像表示部２８の表示器はＴＦＴ ＬＣＤ等で構成される。
【００１９】
画像表示部２８に撮像画像を連続的に表示することにより、電子ビューファインダー（ＥＶＦ）機能が実現される。画像表示部２８は、システム制御回路５０からの指令によって任意に表示をＯＮ／ＯＦＦされうる。表示をＯＦＦすることにより、デジタルカメラ１００の電力消費を大幅に低減することができる。
【００２０】
メモリ３０は、撮影した静止画像や動画像を格納するために使用される。メモリ３０は所定枚数の静止画像や所定時間の動画像を格納するのに十分な記憶量と読み書き速度速度を備えている。これにより、複数枚の静止画像を連続して撮影する連射撮影やパノラマ撮影の場合にも、高速かつ大量の画像データ書き込みをメモリ３０に対して行うことが可能となる。また、メモリ３０は、システム制御回路５０の作業領域としても使用されうる。
【００２１】
圧縮・伸長回路３２は、例えば適応離散コサイン変換（ＡＤＣＴ）等により画像データを圧縮・伸長する回路であり、メモリ３０に格納された画像データを読み込んで圧縮処理或いは伸長処理を行い、処理後の画像データをメモリ３０に書き込むように構成されうる。
【００２２】
露光制御部４０は、システム制御回路５０から提供される情報に基づいて、絞り機能を備えるシャッター１２を制御する。また、露光制御部４０は、フラッシュ（発光装置）４８と連携したフラッシュ調光機能も有しうる。フラッシュ４８は、フラッシュ調光機能及びＡＦ補助光の投光機能を有する。
【００２３】
測距制御部４２は、システム制御回路５０から提供される情報に基づいて、光学系１０のフォーカシング用レンズを制御する。ズーム制御部４４は、光学系１０のズーミングを制御する。バリア制御部４６は、光学系１０を保護するバリア１０２の動作を制御する。
【００２４】
システム制御回路５０は例えばＣＰＵであり、メモリ５２に記憶されたプログラムを実行することによりデジタルカメラ１００全体を制御する。また、システム制御回路５０は、画像表示部２８に表示する、撮像条件及び／又は撮像装置の状態などを示すオブジェクト（表示物）を描画する処理等を実行する画像処理部５０ａを含む。
【００２５】
メモリ５２は、システム制御回路５０の動作用の定数、変数、プログラム、更には、画像表示部２８にオブジェクトを表示するためのオブジェクトデータ等を記憶する。オブジェクトデータは、典型的には、デジタルカメラ１００の出荷前にメモリ５２に書き込まれうる。オブジェクトデータは、或いは、デジタルカメラ１００の出荷後に、電気通信回線を通じてダウンロードされるデータ又は記録媒体に収めてユーザに提供されるデータに基づいてユーザによって書き換えられてもよいし、サービスセンター等において書き換えられてもよい。
【００２６】
例えば、ＬＣＤやＬＥＤである表示部５４及び、例えば、スピーカである音源５５は、システム制御回路５０におけるプログラムの実行に応じて、文字、画像、音声等により動作状態やメッセージ等を出力するように構成される。表示部５４は例えば操作部７０近辺の視認し易い位置に、単数或いは複数設置される。また、表示部５４の一部は光学ファインダー１０４内に設置されている。
【００２７】
表示部５４に表示される情報としては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示、合焦表示、撮影準備完了表示、手振れ警告表示、フラッシュ充電表示、記録媒体書き込み動作表示、等がある。これらの一部又は全部は光学ファインダー１０４内に表示されうる。
【００２８】
不揮発性メモリ５６は、例えばＥＥＰＲＯＭ等の、電気的に消去・記録可能なメモリである。上述したオブジェクトデータは、不揮発性メモリ５６に格納されてもよい。
モードダイヤル６０、シャッタースイッチ６２及び６４、画像表示ＯＮ／ＯＦＦスイッチ６６、フラッシュ設定ボタン６８及び操作部７０は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。
【００２９】
ここで、これらの操作手段の具体的な説明を行う。
モードダイアルスイッチ６０は、例えば電源オフ、自動撮影モード、撮影モード、パノラマ撮影モード、再生モード、マルチ画面再生・消去モード、ＰＣ接続モード等の各機能モードを切り替え設定するためのスイッチである。
【００３０】
第１シャッタースイッチ（ＳＷ１）６２は、シャッターボタン３１０の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の開始をシステム制御回路５０に指示する。
【００３１】
第２シャッタースイッチ（ＳＷ２）６４は、シャッターボタン３１０の操作完了（全押し）でＯＮとなり、撮像素子１４から画像信号を読み出してＡ／Ｄ変換器１６で画像データに変換した後にこれを画像処理回路２０で処理してメモリ制御回路２２を介してメモリ３０に書き込む処理や、メモリ３０から画像データを読み出して圧縮・伸長回路３２で圧縮しその圧縮された画像データを記録媒体２００又は２１０に書き込む処理を含む一連の処理（撮影）の開始をシステム制御回路５０に指示する。
【００３２】
ズーム操作部６５は、撮影画角（ズーム倍率或いは撮影倍率）を変更するために撮影者によって操作される操作部であって、例えば、スライド式の操作部材又はレバー式の操作部材とその動作を検知するスイッチ又はセンサとによって構成されうる。
【００３３】
画像表示ＯＮ／ＯＦＦスイッチ６６は、画像表示部２８の表示ＯＮ／ＯＦＦ設定用スイッチである。光学ファインダー１０４を用いて撮影を行う際に、例えばＴＦＴ ＬＣＤ等から成る画像表示部２８の表示をＯＦＦして電流供給を遮断することにより、省電力を図ることが可能となる。
【００３４】
フラッシュ設定ボタン６８は、フラッシュの動作モードを設定・変更するボタンである。本実施形態において設定可能なモードは、オート、常時発光、赤目緩和オート、常時発光（赤目緩和）がある。オートは、被写体の明るさに応じて自動的にフラッシュを発光して撮影するモードである。常時発光は、常にフラッシュを発光して撮影するモードである。赤目緩和オートは、被写体の明るさに応じて自動的にフラッシュを発光して撮影するとともに、フラッシュ発光の際には、常に赤目緩和ランプを発光するモードである。常時発光（赤目緩和）は、常に赤目緩和ランプとストロボを発光して撮影するモードである。
【００３５】
操作部７０は各種ボタンやタッチパネル等からなり、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、圧縮モードスイッチ等がある。
【００３６】
圧縮モードスイッチは、ＪＰＥＧ(Joint Photographic Expert Group)圧縮の圧縮率や、ＲＡＷモードでの記録などを設定、選択するためのスイッチである。ＲＡＷモードでは、撮像素子が出力するアナログ画像信号をそのままディジタル化したデータ（ＲＡＷデータ）を記録する。
【００３７】
なお、本実施形態においてＲＡＷデータとは、撮像素子にて光電変換されたデータをＡ／Ｄ変換しただけのデータのみならず、Ａ／Ｄ変換後に可逆圧縮したデータであってもよい。また、Ａ／Ｄ変換を施したアナログ画像信号に、少なくともホワイトバランス処理を施していない段階のもの、輝度信号と色信号に分ける色分離処理をしていない段階のもの、色補間処理前の段階のもの等、撮像素子からの出力情報を損失なく維持している状態のデータを指す。また、ＲＡＷデータは、ディジタル化されたものに限らず、撮像素子から得られるアナログ画像信号そのものでも良い。
【００３８】
本実施形態において、ＪＰＥＧ圧縮のモードは、例えばノーマルモードとファインモードが用意されている。デジタルカメラ１００のユーザは、撮影した画像のデータサイズを重視する場合はノーマルモードを、撮影した画像の画質を重視する場合はファインモードを、それぞれ選択して撮影を行うことができる。
【００３９】
ＪＰＥＧ圧縮のモードにおいては、圧縮伸長回路３２が、メモリ３０に書き込まれた画像データを読み出し、設定された圧縮率に圧縮した後、例えば記録媒体２００に記録する。
ＲＡＷモードでは、撮像素子１４の色フィルタの画素配列に応じて、ライン毎にそのままアナログ画像信号を読み出し、Ａ／Ｄ変換器１６、メモリ制御回路２２を介して、メモリ３０に書き込まれた画像データを、記録媒体２００または２１０に記録する。
【００４０】
なお、本実施形態のデジタルカメラ１００は、ユーザによる１回の撮影操作に応答して複数の画像データ記録が可能な複数同時記録モードを有してもよい。このモードでの撮影記録には、オートブラケットモードに代表される、ホワイトバランスや露出といった撮影条件を段階的に変えた画像データの記録、ＪＰＥＧ形式及びＲＡＷ形式での記録といったように、データ形式の異なる複数の画像データ記録や、圧縮率の異なる同形式の画像データ記録、所定の画像処理を行った画像データと、行わない画像データの記録といったような、撮影後の画像処理内容が異なる画像の記録も含まれる。
【００４１】
電源制御部８０は、例えば、電源検出回路、ＤＣ−ＤＣコンバータ、通電するブロックを切り替えるスイッチ回路等を含む。そして、電源の有無、電源の種類、電池残量の検出を行い、その検出結果とシステム制御回路５０からの指令に従って、ＤＣ−ＤＣコンバータを制御し、必要な電圧を必要な期間、必要なブロックに供給する。電源８６は、例えば、アルカリ電池やリチウム電池等の一次電池や、ＮｉＣｄ電池やＮｉＭＨ電池、Ｌｉ電池等の二次電池、ＡＣアダプター等である。デジタルカメラ１００の本体と電源８６は、それぞれが有するコネクタ８２、８４によって接続される。
【００４２】
記録媒体２００及び２１０は、半導体メモリや磁気ディスク等から構成される記録部２０２、２１２と、デジタルカメラ１００とのインターフェース２０４、２１４及びコネクタ２０６、２１６を有している。記録媒体２００及び２１０は、媒体側のコネクタ２０６、２１６とデジタルカメラ１００側のコネクタ９２、９６とを介してデジタルカメラ１００に装着される。コネクタ９２、９６にはインターフェース９０及び９４が接続される。記録媒体２０２、２１２の装着有無は、記録媒体着脱検知部９８によって検知される。
【００４３】
なお、本実施形態ではデジタルカメラ１００が記録媒体を取り付けるインターフェース及びコネクタを２系統持つものとして説明しているが、記録媒体を取り付けるインターフェース及びコネクタは、単数を含む任意の数備えることができる。また、系統毎に異なる規格のインターフェース及びコネクタを用いても良い。
【００４４】
インターフェース及び９４、そしてコネクタ９２及び９６としては、例えばＰＣＭＣＩＡカードやＣＦ（コンパクトフラッシュ（登録商標））カード等、規格に準拠したものを用いることができる。この場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を相互に転送することができる。
【００４５】
光学ファインダー１０４は例えばＴＴＬファインダーであり、プリズムやミラーを用いてレンズ１０を通じた光束を結像する。光学ファインダー１０４を用いることで、画像表示部２８による電子ファインダー機能を使用すること無しに撮影を行うことが可能である。光学ファインダー１０４内には、表示部５４の一部を構成する表示素子、例えば、合焦表示、手振れ警告表示、フラッシュ充電表示、シャッタースピード表示、絞り値表示、露出補正表示を行うための表示素子が配置されうる。
【００４６】
通信回路１１０は、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信回路１１０には、デジタルカメラ１００を他の機器と接続するためのコネクタ１１２、又は、無線通信機能を提供する際にはアンテナが接続されうる。
【００４７】
図２は、デジタルカメラ１００の外観構成の一例を示す図である。なお、図２においては、説明のために不要な構成部分は省略されている。上述の操作部７０は、例えば図２に示すボタン又はスイッチ３０１〜３１１を含む。デジタルカメラ１００の電源をＯＮ／ＯＦＦしたり、撮影条件を設定或いは変更したり、撮影条件を確認したり、装置状態を確認したり、撮影済みの画像を確認したりする際に、これらのボタン又はスイッチ３０１〜３１１がユーザによって操作される。
【００４８】
電源ボタン３１１は、デジタルカメラ１００を起動及び停止させるため、或いは、デジタルカメラ１００の主電源をＯＮ／ＯＦＦするボタンである。メニューボタン３０２は、デジタルカメラ１００の撮像条件や動作モードなどの設定メニューや、デジタルカメラ１００の状態を表示させるためのメニューなどを表示するためのボタンである。メニューは、例えば階層構造を有し、各階層において選択可能な項目や値を変更可能な項目を含むメニューとして構成されうる。
【００４９】
消去ボタン３０１は、画像閲覧モード或いは撮影画像確認画面にて、表示している画像を消去する際に押下される。本実施形態において、撮影画像確認画面は、撮影画像が撮影後すぐに画像表示部２８に表示され、撮影結果を確認できる画面（所謂クイックプレビュー画面）である。また、本実施形態においては、ユーザがシャッターボタン３１０を押下して撮影を指示し、撮影後も押下状態を維持している間、画像確認画面が表示されるように構成されている。
【００５０】
決定ボタン３０３は、モード或いは項目を決定或いは選択する際に押下される。システム制御回路５０は、決定ボタン３０３が押下されると、その時に選択されているモード或いは項目を設定する。表示ＯＮ／ＯＦＦボタン６６は、撮像した画像についての撮影情報の表示・非表示を選択したり、画像表示部２８を電子ファインダーとして機能させるか否かを切り替えたりするために使用される。
【００５１】
左ボタン３０５、右ボタン３０６、上ボタン３０７、下ボタン３０８は、カーソル又はハイライト部等のような、複数の選択肢の中で選択されている選択肢（例えば、項目、画像）を変更するため、又は、選択されている選択肢を特定する指標の位置を変更するため、又は、数値（例えば、補正値や日時等を示す数値など）を増減させるためなどに使用されうる。
【００５２】
なお、本実施形態においては、撮影画像に適用可能な画像処理（効果）の例として、撮影画像中に含まれる特定の色の領域を他の色に変換する色変換効果について説明する。そして、変更を行う対象の色（元色）、変更後の色（目標色）の指定を、電子ビューファインダに表示される画像を用いて行うものとする。
【００５３】
具体的には、色変換効果の設定画面（色指定画面）において、左ボタン３０５が押下された際に電子ビューファインダの中央部分の小領域に含まれる画像の平均色を元色として設定し、右ボタン３０５が押下された際には同様にして目標色として設定する。もちろん、元色及び目標色の指定を行うボタンは方向ボタンを兼用せず、専用のボタンを用いても良いし、同一のボタンで元色と目標色を交互に指定するようにするなど、他の任意の方法を利用可能である。
【００５４】
シャッターボタン３１０は、前述のように、例えば、半押し状態で、ＡＦ（オートフォーカス）処理、ＡＥ（自動露出）処理、ＡＷＢ（オートホワイトバランス）処理、ＥＦ（フラッシュプリ発光）処理等の開始がシステム制御回路５０に指示され、全押し状態で、撮影がシステム制御回路５０に指示されるように構成されうる。
【００５５】
ズーム操作部６５は、前述のように、撮影画角（ズーム倍率或いは撮影倍率）を変更するために撮影者によって操作される。
録画／再生切り替えスイッチ３１２は、録画モードを再生モードに、及び、再生モードを録画モードに切り替えるために使用される。なお、上記のような操作系に代えて、ダイアルスイッチを採用してもよいし、他の操作系を採用することもできる。
【００５６】
（動作）
図３は、本実施形態に係るデジタルカメラ１００における、撮影効果適用時の動作を説明するフローチャートである。なお、本実施形態では、撮影時に適用可能な画像処理（撮影効果）として、撮影画像中に含まれる対象色を、目標色に変換する色変換処理が選択されている場合について説明する。また、予め設定画面を通じ、色変換処理を適用した撮影モードの実行がユーザにより設定されているものとする。
【００５７】
まず、ステップＳ１０１で、メモリ制御回路２２は、Ａ／Ｄ変換器１６から出力される画像データを連続的に画像表示メモリ２４に書き込むことで、画像表示部２８を電子ビューファインダとして機能させる。また、システム制御回路５０内の画像処理部５０ａは、色変換処理に必要な元色と目標色をユーザが指定するためのグラフィカルユーザインタフェース（ＧＵＩ）データを画像表示メモリ２４に書き込む。これらの処理により、色指定画面が画像表示部２８に表示される。このように、色指定画面は、通常の電子ビューファインダに特定のＧＵＩが追加された画面である。なお、本明細書においては、電子ビューファインダを実現するためにリアルタイム表示される画像をスルー画像と呼ぶことがある。
【００５８】
図４は、色指定画面の例を示す図である。色指定画面８００は、電子ビューファインダ（ＥＶＦ）領域（以下、単にＥＶＦという）８０１と、ＧＵＩ領域８０２とに大別され、電子ビューファインダ領域８０１の中央部には固定の色指定枠８０３が表示される。また、ＧＵＩ領域８０２には、変更元色の表示枠８０４及び変更目標色の表示枠８０５がそれぞれ設けられている。また、インジケータ８０６及び８０７は、それぞれ左ボタンに変更元色(Src)の指定機能が、右ボタンに変更目標色(Dst)の指定機能が割り当てられていることをユーザが視覚的に把握しやすいように設けられている。
【００５９】
ここでは、ユーザが、現在ＥＶＦ８０１に表示されている鉢植えの花の色を色変換処理により変換させるものとする。この場合ユーザは、まず変換元色の指示を行うため、接近するか光学ズーム機能を用いることにより、色指定枠８０３のほぼ全体に花びらが表示される状態にし、元色指定ボタンとしての左ボタン３０５を押下する。
【００６０】
色指定画面において元色指定ボタンが押下されると、システム制御回路５０はそれを検知し（ステップＳ１０３）、画像表示メモリ２４から、色指定枠８０３内の座標に対応する画像データを読み出し、変換元色を求める。色指定枠８０３内の画像データから変換元色を求める方法に特段制限はないが、色指定枠８０３内の画像データの平均値に対応する色とすることができる。システム制御回路５０は求めた元色をメモリ３０に記憶することで設定するとともに、画像処理部５０ａを通じてＧＵＩ領域８０２の元色表示枠８０４内に表示する（ステップＳ１０５）。この状態を図５に示す。
【００６１】
ステップＳ１０９で、システム制御回路５０は目標色が設定済みであるかどうかをチェックする。ここではまだ目標色の設定がなされていないので、ステップＳ１０３へ戻る。このとき、スルー画上で、元色に該当する色の領域をゼブラ表示や網掛け等で分かり易くしても良い。元色の指定を行ったユーザは、次に目標色の指定を行う。本実施形態では、元色の指定と同様、目標色の指定もスルー画像を用いて行う。図６は、色指定画面において、ユーザが目標色を背景の領域から指定しようとしている状態を示している。この状態で目標色指定ボタンである右ボタン３０６をユーザが押下すると、システム制御回路５０はそれをステップＳ１１１で検知する。
【００６２】
そして、システム制御回路５０は、元色を求めた方法と同様にして目標色を求め、メモリ３０に記憶することで設定するとともに、画像処理部５０ａを通じてＧＵＩ領域８０２の目標色表示枠８０５内に表示する（ステップＳ１１３）。
【００６３】
次に、システム制御回路５０はステップＳ１１７においてプレビュー処理を行う。プレビュー処理の詳細については後述するが、ここでは設定された元色、目標色に従って色変換処理を行った状態と、色変換処理前の状態とをユーザが比較可能に表示する。
【００６４】
プレビュー中にシャッターボタンが押下されれば（ステップＳ１２１）、画像処理回路２０により色変換処理を適用した撮影処理を行い（ステップＳ１２３）、撮影画像を記録媒体２００又は２１０へ記録する。
一方、プレビュー中に再度元色指定ボタンや目標色指定ボタンが押下された場合には、その時点におけるスルー画像の色指定枠内の画像データに基づいて元色又は目標色を設定し直す。
【００６５】
（プレビュー処理）
次に、図３のステップＳ１１７におけるプレビュー処理の詳細について、図７に示すフローチャートを用いて説明する。
まずステップＳ１７０１において、システム制御回路５０は、画像処理回路２０に対し、スルー画像への色変換処理の適用を指示する。そして、ステップＳ１７０３で電子ビューファインダ表示処理を行う。ステップＳ１７０１で色変換処理の実施が設定されているので、画像処理回路２０はＡ／Ｄ変換器１６が出力する画像データに対し、メモリ３０に記憶された元色及び目標色を用いた色変換処理を行い、メモリ制御部２２に供給する。メモリ制御部２２は、色変換された画像を画像表示メモリ２４へ書き込む。これにより、色指定画面は色変換前の図６のスルー画像の状態から花びらの色が変換された図８の状態へ変化する。
【００６６】
なお、このような色変換処理は周知の画像処理技術を用いて実現することが可能であるが、例えば特開２００４−８０１００号公報に開示されるような、３次元ルックアップテーブルを用いた色変換処理を行うと、階調性を維持した色変換が可能であり好ましい。
【００６７】
次にシステム制御回路５０は、シャッタボタンの押下があったかどうかをチェックし（ステップＳ１７０５）、ボタンの押下があればステップＳ１２１（図３）へ進む。そして、ボタンの押下が無ければ、ステップＳ１７０７で、所定時間（例えば１秒）経過するのを待つ。所定時間経過すると、ステップＳ１７０９において、システム制御回路５０は、画像処理回路２０に対するスルー画像への色変換処理の適用についての設定を反転する。つまり、ここでは色変換処理の適用をしないように設定し、次に所定時間経過した際には色変換処理を適用するように設定する。
【００６８】
このように、色変換前のスルー画像と変換後のプレビュー画像とが点滅表示される状態となる。この時点滅の順序は、色が変換される前のスルー画像を先に表示させるように制御する。これにより実際の画像のどの色が変換されたかを元の色と比較して把握することが可能となる。
【００６９】
また、この状態に於いて、ユーザは、色変換後のプレビュー画像に満足した場合にはシャッターボタンを押下することでそのまま撮影を行うことが可能であり（ステップＳ１２１→ステップＳ１２３）、そうでない場合には他のボタンを押下することにより、色指定のやり直しを行う事ができる（ステップＳ１２１→ステップＳ１０３）。なお、再度色指定ボタンを押下する色取り込み後のやり直し処理では、点滅の順序は、プレビュー画像を先に、次に色が変換されていないスルー画像を点滅表示するように制御する。これにより、現在どこの領域の色が変化しているのかを確認した上で、やり直しをすることが可能となる。
【００７０】
このように、所定時間経過する毎に、スルー画像への色変換処理の適用の実行と実行中止を交互に指示することにより、画像表示部２８には、色変換されない画像（図６）と、色変換された画像（図８）とが交互に表示される。なお、色変換された画像と色変換されない画像との切り替わりを明確にユーザに認識させるため、フェードアウト、フェードインを用いたり、切り替わり時に短時間画像を表示しないようにしたりして、点滅表示させることもできる。
【００７１】
また、点滅表示される画像のどちらが原画像で、どちらが画像処理適用後の画像であるかを示すために、例えば原画像にSourceの”Ｓ”を重畳表示させるなど、原画像と画像処理適用後の画像の少なくとも一方に、識別表示を追加することができる。
【００７２】
このプレビュー処理は電子ビューファインダ表示処理を利用して行われるため、ユーザがズーミングを行ったり、カメラを動かしたりした場合にも、色指定画面８００のＥＶＦ８０１の表示はユーザの操作に追従する。従って、例えば図８の状態で広角側へのズーミングが行われたり、ユーザがカメラを被写体から遠ざけた場合には、図４の状態と図９の状態の表示が交互に行われる。
【００７３】
このように、本実施形態によれば、撮影画像に画像処理による効果を与えて撮影を行う場合、設定された効果のプレビュー表示を行うことにより、ユーザは撮影前に設定した効果がどのように撮影画像に影響するかを確認することが可能になる。また、電子ビューファインダの表示画像でプレビュー表示を行うので、撮影前に、かつリアルタイムに、画像処理の結果を確認することが可能である。
【００７４】
また、プレビュー表示時には画像処理を施さない原画像と、画像処理を適用した処理後画像とを比較可能に表示するため、画像処理の効果をより的確かつ容易に把握することが可能になる。
【００７５】
＜＜第２の実施形態＞＞
第１の実施形態においては、画像処理の適用の実行と実行中止を交互に指示することで、画像処理を施さない原画像と、画像処理を適用した処理後画像とを所定時間経過毎に自動的に切り替えてプレビュー表示するものであった。これに対し、本実施形態では、ユーザの指示に応じて画像処理の適用の実行と実行中止を交互に指示することにより、表示の切り替えを行うことを特徴とする。なお、プレビュー処理の動作以外、本実施形態にかかるデジタルカメラ１００の構成及び動作は第１の実施形態と共通で良いため、本実施形態におけるプレビュー処理についてのみ説明する。
【００７６】
図１０は、本発明の第２の実施形態に係る撮像装置としてのデジタルカメラ１００におけるプレビュー処理を説明するフローチャートである。図１０において、第１の実施形態におけるプレビュー処理と同一の処理については同一の参照数字を付した。
【００７７】
ステップＳ１７０１、Ｓ１７０３の処理は第１の実施形態と共通である。ステップＳ１７０５において、システム制御回路５０は、ボタンの押下があったかどうかをチェックし、ボタンの押下があればステップＳ１７１１へ進む。ステップＳ１７１１では、表示切り替えボタン（例えば表示ＯＮ／ＯＦＦボタン６６）が押下されたのかどうかを確認し、他のボタンが押下された場合にはステップＳ１２１（図３）へ進む。
【００７８】
表示切り替えボタンが押下された場合、ステップＳ１７０９において、システム制御回路５０は、画像処理回路２０に対するスルー画像への色変換処理の適用についての設定を反転する。つまり、ここでは色変換処理の適用をしないように設定し、次に表示切り替えボタンが押下された際には色変換処理を適用するように設定する。
【００７９】
このように、本実施形態では、表示切り替えボタンが押下される毎にスルー画像への色変換処理の適用の実行と実行中止を交互に指示することにより、画像表示部２８には、色変換されない画像と、色変換された画像とが交互に表示される。
本実施形態においても第１の実施形態と同様、原画像と画像処理適用後の画像の少なくとも一方に、識別表示を追加することができる。
【００８０】
以上説明したように、本実施形態によれば、撮影画像に画像処理による効果を与えて撮影を行う場合、設定された効果のプレビュー表示を行うことにより、ユーザは撮影前に設定した効果がどのように撮影画像に影響するかを確認することが可能になる。
【００８１】
また、プレビュー表示時には画像処理を施さない原画像と、画像処理を適用した処理後画像とをユーザの指示により切り替えて表示するため、画像処理の効果をより的確かつ容易に把握することが可能になる。また、第１の実施形態とは異なり、ユーザは所望のタイミングで原画像と処理後画像を比較することが可能である。
【００８２】
＜＜他の実施形態＞＞
上述の実施形態においては、撮影時に指定できる画像処理の一例として、特定の色を別な色に変換する色変換処理について説明したが、他の画像処理であっても構わない。また、色の変換は一対である必要は無く、元色と目標色とが複数組指定されてもよい。
【００８３】
また、上述した本発明の実施形態における撮像装置を構成する各手段、並びに撮像方法を実現する各ステップは、撮像装置に含まれるコンピュータ（ＣＰＵ）に制御プログラムを実行させることにより、ソフトウェア的に実現することが可能である。このような制御プログラム及びそれを記録したコンピュータ読み取り可能な記憶媒体もまた本発明に含まれる。
【００８４】
また、上述した実施形態では、画像処理回路２０による画像処理の適用有無を切り替えることにより、画像処理を適用した画像と適用しないスルー画像との切り替えを行う構成について説明した。しかし、画像処理を適用した画像と、適用しない画像とを切り替えて表示可能であればどのような方法を用いても良い。
【００８５】
例えば、画像処理回路２０自体は常に画像処理を適用する動作を実行し、メモリ制御部２２が、画像処理回路２０を通らないスルー画像と、画像処理回路２０により画像処理を適用した画像とから選択して画像表示メモリ２４に書き込むように構成しても、同様の結果が得られる。
【００８６】
この場合、図７及び図１０におけるステップＳ１７０１では、画像表示メモリ２４に書き込む画像を画像処理回路２０が出力する画像に設定し、ステップＳ１７０９では画像表示メモリ２４に書き込む画像を画像処理回路２０を通らないスルー画像に設定することになる。
【図面の簡単な説明】
【００８７】
【図１】本発明の実施形態に係る撮像装置としてのデジタルカメラの構成例を示すブロック図である。
【図２】本発明の実施形態に係る撮像装置の外観構成例を示す斜視図である。
【図３】本発明の実施形態に係るデジタルカメラ１００における、撮影効果適用時の動作を説明するフローチャートである。
【図４】、
【図５】、
【図６】本発明の実施形態に係るデジタルカメラ１００における色指定画面の表示例を示す図である。
【図７】本発明の第１の実施形態に係るデジタルカメラ１００における、プレビュー処理を説明するフローチャートである。
【図８】、
【図９】本発明の第１の実施形態に係るデジタルカメラ１００における、プレビュー画像の例を示す図である。
【図１０】本発明の第２の実施形態に係るデジタルカメラ１００における、プレビュー処理を説明するフローチャートである。
【図１】
2006211103.tif 000003
【図２】
2006211103.tif 000004
【図３】
2006211103.tif 000005
【図４】
2006211103.tif 000006
【図５】
2006211103.tif 000007
【図６】
2006211103.tif 000008
【図７】
2006211103.tif 000009
【図８】
2006211103.tif 000010
【図９】
2006211103.tif 000011
【図１０】
2006211103.tif 000012